【手続補正書】
【提出日】平成18年11月30日(2006.11.30)
【手続補正１】
【補正対象書類名】明細書
【補正対象項目名】特許請求の範囲
【補正方法】変更
【補正の内容】
【特許請求の範囲】
【請求項１】
ペプチドと製薬上許容される担体とを含む医薬組成物であって、該ペプチドは：
(a)長さが100アミノ酸未満であり；かつ
(b)トロポニンサブユニットＩの抑制およびカルボキシ末端領域（配列番号14）と80％よりも高い相同性がある、上記組成物。
【請求項２】
前記ペプチドが配列番号14のアミノ酸配列からなる、請求項1記載の組成物。
【請求項３】
前記トロポニンサブユニットＩがヒトまたはウシのトロポニンサブユニットＩである、請求項1に記載の組成物。
【請求項４】
前記ペプチドが、前記タンパク質をコードするヌクレオチド配列を含むように操作された細胞により組換え的に発現される、請求項1に記載の医薬組成物。
【請求項５】
前記トロポニンサブユニットＩが組織に由来する、請求項1に記載の組成物。
【請求項６】
前記組織が軟骨である、請求項5に記載の組成物。
【請求項７】
前記組織が結合、筋肉、神経または上皮である、請求項5に記載の組成物。
【請求項８】
ペプチドをコードするヌクレオチド配列を含む組換え細胞を含んで、該ペプチドが被験体内で発現されるようにする医薬組成物であって、該ペプチドは：
(a)長さが100アミノ酸未満であり；かつ
(b)トロポニンサブユニットＩの抑制およびカルボキシ末端領域（配列番号14）と80％よりも高い相同性がある、上記組成物。
【請求項９】
ペプチドと製薬上許容される担体とを含む医薬組成物であって、該ペプチドは：
(a)10μM以下のIC50を有するbFGF刺激ウシ内皮細胞増殖の抑制物質であり；
(b)長さが少なくとも100個の連続アミノ酸であり；かつ
(c)速筋トロポニンサブユニットＣ（配列番号１）、トロポニンサブユニットＩ（配列番号２）、速筋トロポニンサブユニットＴ（配列番号３）からなる群から選ばれるサブユニットと80％よりも高い相同性がある、上記組成物。
【請求項１０】
前記トロポニンサブユニットＩが組織に由来する、請求項9に記載の組成物。
【請求項１１】
前記組織が軟骨である、請求項10に記載の組成物。
【請求項１２】
ペプチドと製薬上許容される担体とを含む医薬組成物であって、該ペプチドは：
(a)10μM以下のIC50を有するbFGF刺激ウシ内皮細胞増殖の抑制物質であり；かつ
(b)速筋トロポニンサブユニットＣ（配列番号１）、トロポニンサブユニットＩ（配列番号２）、速筋トロポニンサブユニットＴ（配列番号３）からなる群から選ばれる、上記組成物。
【請求項１３】
前記トロポニンサブユニットＩが組織に由来する、請求項12に記載の組成物。
【請求項１４】
前記組織が軟骨である、請求項13に記載の組成物。
【請求項１５】
前記ペプチドが、前記タンパク質をコードするヌクレオチド配列を含むように操作された細胞により組換え的に発現される、請求項12に記載の医薬組成物。
【請求項１６】
前記ペプチドが、前記タンパク質をコードするヌクレオチド配列を含むように操作された細胞により組換え的に発現される、請求項15に記載の医薬組成物。
【請求項１７】
ペプチドをコードするヌクレオチド配列を含む組換え細胞を含んで、該ペプチドが被験体内で発現されるようにする医薬組成物であって、該ペプチドは：
(a)10μM以下のIC50を有するbFGF刺激ウシ内皮細胞増殖の抑制物質であり；
(b)長さが少なくとも100個の連続アミノ酸であり；かつ
(c)速筋トロポニンサブユニットＣ（配列番号１）、トロポニンサブユニットＩ（配列番号２）および速筋トロポニンサブユニットＴ（配列番号３）からなる群から選ばれるサブユニットと80％よりも高い相同性がある、上記組成物。
【請求項１８】
ペプチドをコードするヌクレオチド配列を含む組換え細胞を含んで、該ペプチドが被験体内で発現されるようにする医薬組成物であって、該ペプチドは：
(a)10μM以下のIC50を有するbFGF刺激ウシ内皮細胞増殖の抑制物質であり；かつ
(b)速筋トロポニンサブユニットＣ（配列番号１）、トロポニンサブユニットＩ（配列番号２）、速筋トロポニンサブユニットＴ（配列番号３）からなる群から選ばれる、上記組成物。
【請求項１９】
配列番号２のアミノ酸残基118〜137（huTnI118-137）を有するトロポニンサブユニットＩの領域を含むペプチド。
【請求項２０】
ペプチドと製薬上許容される担体とを含む、疾患または障害に関連する血管形成を抑制するための医薬組成物であって、該ペプチドは、配列番号２のアミノ酸残基118〜137（huTnI118-137）と80％よりも高い相同性がある、上記組成物。
【請求項２１】
疾患または障害に関連する血管形成を抑制するための医薬組成物であって、配列番号２の残基118〜137（huTnI118-137）のアミノ酸配列の少なくとも10個の連続アミノ酸残基を有するペプチドを含む、上記組成物。
【請求項２２】
前記ペプチドが、配列番号２の残基118〜137（huTnI118-137）のアミノ酸配列からなる、請求項20または21に記載の組成物。
【請求項２３】
前記ペプチドが組織に由来する、請求項20に記載の組成物。
【請求項２４】
前記組織が結合、筋肉、神経または上皮である、請求項23に記載の組成物。
【請求項２５】
前記組織が軟骨である、請求項23に記載の組成物。
【請求項２６】
前記ペプチドがヒトまたはウシ起源のものである、請求項20に記載の組成物。
【請求項２７】
前記ペプチドが、該ペプチドをコードするヌクレオチド配列を含むように操作された細胞により組換え的に発現される、請求項20または21に記載の医薬組成物。
【請求項２８】
ペプチドをコードするヌクレオチド配列を含む組換え細胞を含んで、該ペプチドが宿主内で発現されるようにする医薬組成物であって、該ペプチドは、配列番号２のアミノ酸残基118〜137（huTnI118-137）を有するトロポニンサブユニットＩの領域と80％よりも高い相同性がある、上記組成物。
【請求項２９】
ペプチドをコードするヌクレオチド配列を含む組換え細胞を含んで、該ペプチドが宿主内で発現されるようにする医薬組成物であって、該ペプチドは、配列番号２の残基118〜137（huTnI118-137）のアミノ酸配列の少なくとも10個の連続アミノ酸残基を有するトロポニンサブユニットＩの領域である、上記組成物。
【請求項３０】
前記ペプチドが、配列番号２の残基118〜137（huTnI118-137）のアミノ酸配列からなる、請求項29に記載の医薬組成物。
【請求項３１】
配列番号２の116〜123（huTnI116-123）、120〜127（huTnI120-127）、122〜129（huTnI122-129）、124〜131（huTnI124-131）、126〜133（huTnI126-133）、128〜135（huTnI128-135）、130〜137（huTnI130-137）、132〜139（huTnI132-139）および134〜141（huTnI134-141）からなる群から選ばれるアミノ酸残基を有するトロポニンサブユニットＩの領域を含むペプチド。
【請求項３２】
配列番号２のアミノ酸残基130〜137（huTnI130-137）を有するトロポニンサブユニットＩの領域を含む、請求項31に記載のペプチド。
【請求項３３】
配列番号２のアミノ酸残基132〜139（huTnI132-139）を有するトロポニンサブユニットＩの領域を含む、請求項31に記載のペプチド。
【請求項３４】
ペプチドと製薬上許容される担体とを含む、疾患または障害に関連する血管形成を抑制するための医薬組成物であって、該ペプチドは、配列番号２の116〜123（huTnI116-123）、120〜127（huTnI120-127）、122〜129（huTnI122-129）、124〜131（huTnI124-131）、126〜133（huTnI126-133）、128〜135（huTnI128-135）、130〜137（huTnI130-137）、132〜139（huTnI132-139）および134〜141（huTnI134-141）からなる群から選ばれるアミノ酸残基と80％よりも高い相同性がある、上記組成物。
【請求項３５】
前記ペプチドが、配列番号２の116〜123（huTnI116-123）、120〜127（huTnI120-127）、122〜129（huTnI122-129）、124〜131（huTnI124-131）、126〜133（huTnI126-133）、128〜135（huTnI128-135）、130〜137（huTnI130-137）、132〜139（huTnI132-139）および134〜141（huTnI134-141）からなる群から選ばれる残基のアミノ酸配列からなる、請求項34に記載の医薬組成物。
【請求項３６】
前記ペプチドが、配列番号２の残基130〜137（huTnI130-137）または132〜139（huTnI132-139）のアミノ酸配列からなる、請求項34に記載の医薬組成物。
【請求項３７】
疾患または障害に関連する血管形成を抑制するための医薬組成物であって、配列番号２の116〜123（huTnI116-123）、120〜127（huTnI120-127）、122〜129（huTnI122-129）、124〜131（huTnI124-131）、126〜133（huTnI126-133）、128〜135（huTnI128-135）、130〜137（huTnI130-137）、132〜139（huTnI132-139）および134〜141（huTnI134-141）からなる群から選ばれる残基のアミノ酸配列の少なくとも８個の連続アミノ酸残基を有するペプチドを含む、上記組成物。
【請求項３８】
前記ペプチドが、配列番号２の残基130〜137（huTnI130-137）または132〜139（huTnI132-139）のアミノ酸配列の少なくとも８個の連続アミノ酸残基を有する、請求項37に記載の医薬組成物。
【請求項３９】
前記ペプチドがヒトまたはウシ起源のものである、請求項34に記載の組成物。
【請求項４０】
前記ペプチドが組織に由来する、請求項34に記載の組成物。
【請求項４１】
前記組織が結合、筋肉、神経または上皮である、請求項40に記載の組成物。
【請求項４２】
前記組織が軟骨である、請求項40に記載の組成物。
【請求項４３】
前記ペプチドが、該ペプチドをコードするヌクレオチド配列を含むように操作された細胞により組換え的に発現される、請求項34または37に記載の医薬組成物。
【請求項４４】
前記ペプチドが、配列番号２の残基130〜137（huTnI130-137）または132〜139（huTnI132-139）のアミノ酸配列からなる、請求項43に記載の組成物。
【請求項４５】
ペプチドをコードするヌクレオチド配列を含む組換え細胞を含んで、該ペプチドが宿主内で発現されるようにする医薬組成物であって、該ペプチドは、配列番号２の116〜123（huTnI116-123）、120〜127（huTnI120-127）、122〜129（huTnI122-129）、124〜131（huTnI124-131）、126〜133（huTnI126-133）、128〜135（huTnI128-135）、130〜137（huTnI130-137）、132〜139（huTnI132-139）および134〜141（huTnI134-141）からなる群から選ばれるアミノ酸残基を有するトロポニンサブユニットＩの領域と80％よりも高い相同性がある、上記組成物。
【請求項４６】
前記ペプチドが、配列番号２の116〜123（huTnI116-123）、120〜127（huTnI120-127）、122〜129（huTnI122-129）、124〜131（huTnI124-131）、126〜133（huTnI126-133）、128〜135（huTnI128-135）、130〜137（huTnI130-137）、132〜139（huTnI132-139）および134〜141（huTnI134-141）からなる群から選ばれる残基のアミノ酸配列からなる、請求項45に記載の医薬組成物。
【請求項４７】
前記ペプチドが、配列番号２の残基130〜137（huTnI130-137）のアミノ酸配列からなる、請求項45に記載の医薬組成物。
【請求項４８】
前記ペプチドが、配列番号２の残基132〜139（huTnI132-139）のアミノ酸配列からなる、請求項45に記載の医薬組成物。
【請求項４９】
前記細胞がヒトまたはウシ起源のものである、請求項45に記載の組成物。
【請求項５０】
前記細胞が結合、筋肉、神経または上皮細胞である、請求項45に記載の組成物。
【請求項５１】
前記細胞が軟骨細胞である、請求項45に記載の組成物。
【請求項５２】
ペプチドをコードするヌクレオチド配列を含む組換え細胞を含んで、該ペプチドが宿主内で発現されるようにする医薬組成物であって、該ペプチドは、配列番号２の116〜123（huTnI116-123）、120〜127（huTnI120-127）、122〜129（huTnI122-129）、124〜131（huTnI124-131）、126〜133（huTnI126-133）、128〜135（huTnI128-135）、130〜137（huTnI130-137）、132〜139（huTnI132-139）および134〜141（huTnI134-141）からなる群から選ばれる残基のアミノ酸配列の少なくとも８個の連続アミノ酸残基を有するトロポニンサブユニットＩの領域である、上記組成物。
【請求項５３】
前記ペプチドが、配列番号２の残基130〜137（huTnI130-137）のアミノ酸配列からなる、請求項52に記載の医薬組成物。
【請求項５４】
前記ペプチドが、配列番号２の残基132〜139（huTnI132-139）のアミノ酸配列からなる、請求項52に記載の医薬組成物。